【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
通信端末と通信して、前記通信端末に接続されている車載端末と通信を行うサーバ装置であって、
前記通信端末と通信する通信部と、
前記車載端末の認証情報と、前記車載端末の認証情報が生成された日時と、を対応して記憶する記憶部と、
前記通信部を用いて、前記車載端末の情報と、前記車載端末の認証情報が生成された日時と、を取得して、前記記憶部に記憶されている前記車載端末の認証情報と、前記車載端末の認証情報が生成された日時と、を用いて認証を行う認証情報検証処理部と、
認証された場合、取得した前記車載端末の認証情報が生成された日時を、前記記憶部に記憶する認証情報管理部と、
を備えることを特徴とするサーバ装置。
【請求項２】
請求項１に記載のサーバ装置であって、
前記車載端末の情報と、ソフトウェアと、を対応させて記憶する車載端末用ソフトウェア記憶部と、
前記ソフトウェアに対応した固有鍵を記憶するソフトウェア固有鍵記憶部と、
前記通信部を用いて取得した前記車載端末の情報と、前記車載端末用ソフトウェア記憶部に記憶されている車載端末の情報と、を用いて配信するソフトウェアを判断するソフトウェア配信部と、
前記配信するソフトウェアを、前記ソフトウェア固有鍵記憶部に記憶されているソフトウェアに対応した固有鍵で暗号化する暗号化処理部と、を備え、
前記通信部を用いて前記暗号化されたソフトウェアを配信すること
を特徴とするサーバ装置。
【請求項３】
請求項２に記載のサーバ装置であって、
前記ソフトウェア配信部は、前記通信部を用いて取得した前記車載端末の情報と、前記車載端末用ソフトウェア記憶部に記憶されている車載端末の情報と、を用いて、前記車載端末にインストール可能なソフトウェアを判断すること
を特徴とするサーバ装置。
【請求項４】
通信端末と通信して、前記通信端末に接続されている車載端末と通信を行うサーバ装置の情報通信方法であって、
前記サーバ装置は、
前記通信端末と通信するステップと、
前記車載端末の認証情報と、前記車載端末の認証情報が生成された日時と、を対応して記憶するステップと、
前記通信により前記車載端末の情報と、前記車載端末の認証情報が生成された日時と、を取得して、記憶されている前記車載端末の認証情報と、前記車載端末の認証情報が生成された日時と、を用いて認証を行うステップと、
認証された場合、取得した前記車載端末の認証情報が生成された日時を、記憶するステップと、
を実行することを特徴とする情報通信方法。
【請求項５】
通信端末を介して、サーバ装置と通信を行う車載端末であって、
前記通信端末と通信する機器間通信部と、
前記車載端末の日時を取得する時計部と、
前記機器間通信部を用いて前記通信端末から取得した暗号化されたソフトウェアと、前記車載端末の情報と、を記憶する記憶部と、
前記車載端末の情報と、前記時計部で取得した日時と、前記取得した暗号化されたソフトウェアの情報と、を用いて認証情報を生成する認証情報生成部と、
前記機器間通信部を用いて、前記認証情報を前記通信端末に送信するインストール処理部と、
前記機器間通信部を用いて、前記サーバ装置から送信された前記暗号化されたソフトウェアを復号するための情報を取得し、前記取得した暗号化されたソフトウェアを復号するための情報を、前記暗号化されたソフトウェアの情報を用いて認証し、認証された場合、前記暗号化されたソフトウェアを復号する認証情報検証部と、
を備えることを特徴とする車載端末。
【請求項６】
通信端末を介して、サーバ装置と通信を行う車載端末の情報通信方法であって、
前記車載端末は、
前記通信端末と通信するステップと、
前記車載端末の日時を取得するステップと、
前記通信端末から取得した暗号化されたソフトウェアと、前記車載端末の情報と、を記憶するステップと、
前記車載端末の情報と、日時と、前記取得した暗号化されたソフトウェアの情報と、を用いて認証情報を生成するステップと、
前記認証情報を前記通信端末に送信するステップと、
前記サーバ装置から送信された前記暗号化されたソフトウェアを復号するための情報を取得し、前記取得した暗号化されたソフトウェアを復号するための情報を、前記暗号化されたソフトウェアの情報を用いて認証し、認証された場合、前記暗号化されたソフトウェアを復号するステップと、
を実行することを特徴とする情報通信方法。
【請求項７】
サーバ装置と、通信端末と、車載端末を備える情報配信システムであって、
前記車載端末は、
前記通信端末と通信する機器間通信部と、
前記車載端末の日時を取得する時計部と、
前記車載端末の情報と、前記時計部で取得した日時と、を用いて認証情報を生成する認証情報生成部と、
を備え、
前記認証情報生成部で生成された認証情報と、前記認証情報を生成した日時を、前記機器間通信部を用いて前記通信端末に送信し、
前記通信端末は、
前記サーバ装置と通信する通信端末通信部と、
前記車載端末と機器間通信する通信端末機器間通信部と、
情報を記憶する通信端末記憶部と、
を備え、
前記車載端末から送信された前記車載端末の認証情報と、前記車載端末の認証情報が生成された日時を、前記通信端末通信部を用いて、前記サーバ装置へ送信し、
前記サーバ装置は、
前記通信端末と通信する通信部と、
前記車載端末の認証情報と、前記車載端末の認証情報が生成された日時と、を対応して記憶する記憶部と、
前記通信部を用いて、送信された前記車載端末の認証情報と前記認証情報が生成された日時と、を取得して、前記記憶部に記憶されている前記車載端末の認証情報と、前記車載端末の認証情報が生成された日時と、を用いて認証を行う認証情報検証処理部と、
を備え、
認証された場合、送信された前記車載端末の認証情報が生成された日時を、認証情報管理部を用いて前記記憶部に記憶し、認証されたことを示す情報と、前記車載端末の認証情報と、当該車載端末の認証情報が生成された日時を、前記通信部を用いて、前記通信端末に送信し、
前記通信端末は、送信された前記認証されたことを示す情報と、前記車載端末の認証情報と、当該車載端末の認証情報が生成された日時を、前記通信端末記憶部に記憶すること
を特徴とする情報配信システム。
【手続補正２】
【補正対象書類名】明細書
【補正対象項目名】発明の名称
【補正方法】変更
【補正の内容】
【発明の名称】サーバ装置、車載端末、情報通信方法および情報配信システム
【手続補正３】
【補正対象書類名】明細書
【補正対象項目名】０００１
【補正方法】変更
【補正の内容】
【０００１】
本発明は、携帯電話等の通信機器を外部接続することが可能なカーナビゲーション等の車載端末に対してサーバ装置から情報を配信する、サーバ装置、車載端末、情報通信方法および情報配信システムに関する。
【手続補正４】
【補正対象書類名】明細書
【補正対象項目名】００１３
【補正方法】変更
【補正の内容】
【００１３】
このような背景に鑑みて本発明がなされたのであり、本発明は、通信機能を具備しない車載端末に対してその車載端末に適合するソフトウェアを配信する場合に、配信対象でない車載端末に対してソフトウェアがインストールされるのを防ぐ、サーバ装置、車載端末、情報通信方法および情報配信システムを提供することを目的とする。
【手続補正５】
【補正対象書類名】明細書
【補正対象項目名】００１４
【補正方法】変更
【補正の内容】
【００１４】
本発明の情報配信システムのサーバ装置は、車載端末の認証情報と、車載端末の認証情報が生成された日時と、を対応して記憶部に記憶しており、車載端末の情報と、その車載端末の認証情報が生成された日時と、を取得して、記憶部に記憶されている車載端末の認証情報と、車載端末の認証情報が生成された日時と、を用いて認証を行い、認証された場合に、取得した車載端末の認証情報が生成された日時を、記憶部に記憶することを特徴とする。
【手続補正６】
【補正対象書類名】明細書
【補正対象項目名】００１５
【補正方法】変更
【補正の内容】
【００１５】
本発明によれば、通信機能を具備しない車載端末に対してその車載端末に適合するソフトウェアを配信する場合に、配信対象でない車載端末に対してソフトウェアがインストールされるのを防ぐ、サーバ装置、車載端末、情報通信方法および情報配信システムを提供することができる。